(57)【特許請求の範囲】
【請求項１】
芯材によるパネル骨格に面材が配設されているパネル本体を備えた間仕切りパネルであって、パネル本体の上端部には板バネを介して上端部材が配設一体化されており、上端部材は板バネによって上方に付勢されているとともに、板バネには配線用の穴が設けられていることを特徴とする間仕切りパネル。
【請求項２】
パネル本体内には、パネル配線用の穴部もしくは通路部が設けられている請求項１の間仕切りパネル。
【請求項３】
請求項１または２の間仕切りパネルの取付構造であって、パネル本体の下端部は床ランナーに差し込まれているとともに、板バネを介してパネル本体上端部に配設された上端部材は、板バネに付勢されて天井ランナーの溝内に押し込まれてパネル本体が床ランナーおよび天井ランナーに取付け固定されていることを特徴とする間仕切りパネルの取付構造。
【請求項４】
請求項３の取付構造において、パネル本体の床ランナーおよび天井ランナーへの取付固定された状態で、板バネの配線用穴には配線が通されていることを特徴とする間仕切りパネルの取付構造。
【請求項５】
請求項３または４の取付構造において、面材上端部と天井ランナーもしくは天井面との間には隙間部材が配設されていることを特徴とする間仕切りパネルの取付構造。
【発明の詳細な説明】
【０００１】
【発明の属する技術分野】
この出願の発明は、間仕切りパネルとその取付構造に関するものである。さらに詳しくは、この出願の発明は、簡便にかつ容易に間仕切りパネルの取付が可能とされ、工場等においての生産も可能な、改善された新しい間仕切りパネルとその取付構造に関するものである。
【０００２】
【従来の技術】
生活の形態や家族構成の変化に応じて、住宅等の建物においては、既設の躯体壁と家具等により区切られた空間の区分を変更するためにパネルにより間仕切りすることがしばしば行われてきている。
このような間仕切りのためのパネルそのものについて様々なものがこれまでに提案されているとともに、間仕切りパネルの所定位置への固定のための方法として、天井面および床面の双方に設けた天井ランナーと床ランナーとによってパネルの上下端部を取付け固定することが知られている。
【０００３】
通常この取付固定の構造とそのための施工方法においては、たとえば図１１＜Ａ＞＜Ｂ＞に示した以下のような手段のいずれかが採用されている。
＜Ａ＞  天井面に設けた天井ランナー（１）にパネル本体（３）の上端部を差し込む等により仮固定し、下端部に設けたアジャスターボルト等の調節支持手段（４）により床面に設けた床ランナー（２）との間の隙間を調節して支持固定する。
＜Ｂ＞  床面に設けた床ランナー（２）にパネル本体（３）の下端部を差し込み等により仮固定し、パネル本体（３）の上端部と天井ランナー（１）との間にパッキン材（５）を挿入して固定する。
【０００４】
そして、これらの構造、方法とともに、パネル本体（３）に、別の本体を隣接させて双方を連結するための構造としては、図１１＜Ａ＞にも示したように、パネル本体（３）の側端部に設けた溝部に雇実（６）を装着し、この雇実（６）を介して隣接するパネルを連結するようにしたものも提案されている。
【０００５】
【発明が解決しようとする課題】
しかしながら、以上のとおりの従来のパネル本体（３）の天井ランナー（１）および床ランナー（２）への取付固定については、以下のように、施工は面倒であるという問題があった。
＜Ａ＞  図１１＜Ａ＞のアジャスターボルト等の調節支持手段（４）を用いる場合には、パネル本体（３）の上端部の天井ランナー（１）への仮固定状態が保たれるように、脚立に登った作業者がパネル本体（３）を支え、別の作業者が調節支持手段（４）を調節しなければならない。
【０００６】
そして、取付固定したパネル本体（３）が所定の垂直度や取付強度を持つように、この調節支持手段（４）を適切な位置や高さに調節することは必ずしも容易ではない。
＜Ｂ＞  一方、図１１＜Ｂ＞の構造の場合には、パネル本体（３）の下端を床ランナー（２）に仮固定しているためその施工性はアジャスターボルト等の調節支持手段（４）を用いる場合に比べて良好であるように思えるが、この構造の場合でも、パネル本体（３）が倒れないように一人の作業者がパネル本体（３）を支え、別の作業者が脚立に登って、その上端部と天井ランナー（１）との間にパッキン材（５）を挿入して固定しなければならない。
【０００７】
また、このパッキン材（５）の挿入時には、パネル本体（３）の上端部が振れてしまい、取付固定したパネル本体（３）が所定の垂直度や取付強度を持つように適切な状態でパッキン材（５）を配置することは容易ではない。
そして、＜Ａ＞＜Ｂ＞いずれの場合にも、前記のように別のパネル本体を隣接させて連結する場合、取付け固定されたパネル本体（３）の垂直度や取付強度が適当でないこともあり、雇実（６）を介してのパネル連結が難しくなることがあるという問題があった。
【０００８】
また、以上の従来のいずれの場合も、パネル本体（３）とともに、アジャスターボルト等の調節支持手段（４）、あるいはパッキン材（５）をパネル本体（３）とは別部材として用意し、施工現場に持ち込まなければならないため、部材の準備、搬入の面でも面倒であって、しかも施工現場の状況に応じて寸法等を変更することがあるため、部材点数の削減、並びに工場等における規格生産の上での制約となっていた。
【０００９】
そこで、この出願の発明は、以上のとおりの従来の問題点を解消し、場合によっては一人の作業者でも施工が可能であって、しかも簡便、かつ容易な施工で、確実に間仕切りパネルの取付固定が可能とされ、さらには、部材点数の削減と工場等における規格品としての生産も可能とされる、改善された新しい間仕切りパネルとその取付構造を提供することを課題としている。
【００１０】
【課題を解決するための手段】
この出願の発明は、上記の課題を解決するものとして、第１には、芯材によるパネル骨格に面材が配設されているパネル本体を備えた間仕切りパネルであって、パネル本体の上端部には板バネを介して上端部材が配設一体化されており、上端部材は板バネによって上方に付勢されているとともに、板バネには配線用の穴が設けられていることを特徴とする間仕切りパネルを提供する。
【００１１】
また、この出願の発明は、第２には、パネル本体内には、パネル配線用の穴部もしくは通路部が設けられている間仕切りパネルを提供する。
そして、この出願の発明は、第３には、前記のいずれかの発明の間仕切りパネルの取付構造であって、パネル本体の下端部は床ランナーに差し込まれているとともに、板バネを介してパネル本体上端部に配設された上端部材は、板バネに付勢されて天井ランナーの溝内に押し込まれてパネル本体が床ランナーおよび天井ランナーに取付け固定されていることを特徴とする間仕切りパネルの取付構造を提供し、さらに第４には、前記の取付構造において、パネル本体の床ランナーおよび天井ランナーへの取付固定された状態で、板バネの配線用穴には配線が通されていることを特徴とする間仕切りパネルの取付構造を、第５には、面材上端部と天井ランナーもしくは天井面との間には隙間部材が配設されていることを特徴する間仕切りパネルの取付構造をも提供する。
【００１２】
【発明の実施の形態】
この出願の発明は上記のとおりの特徴をもつものであるが、以下にその実施の形態について説明する。
まず、この出願の発明の間仕切りパネルについて説明すると、たとえば図１のパネル正面図＜Ａ＞およびパネル骨格図＜Ｂ＞、そして図２の縦断面図に例示したように、芯材（３１）によるパネル骨格に面材（３２）が配設されているパネル本体（３）において、その上端部には、板バネ（７）を介して上端部材（８）が配設一体化されており、この上端部材（８）は、図中に矢印（α）で示したように、板バネ（７）によって、上方に付勢されている。
【００１３】
パネル本体（３）を構成する芯材（３１）は、木質材、樹脂、金属、あるいはそれらの複合材とすることができるが、加工成形性、軽量性等の点からは木質材とすることが好ましい。そして、このような芯材（３１）は、パネル本体（３）の大きさ、用途等に応じて、図１および図２の例に限定されることなく、適宜な寸法のものが、様々な形態での骨格配置を構成するようにしてもよい。
【００１４】
面材（３２）についても同様に各種のものでよく、たとえばプラスターボード、合板等が使用できる。これら面材（３２）は、間仕切り壁としての構成に対応して、芯材（３１）によるパネル骨格の片面もしくは両面に配設される。
パネル本体（３）は、図１および図２の例に何ら限定されることはなく、芯材（３１）の配置をはじめ、外形寸法、厚み等は各種であってよい。そしてこのパネル本体（３）には、間仕切り壁としての構成のための扉や障子の設置とその開閉等を可能とする開口部があらかじめ設けられていてもよいし、あるいはそれを可能とする手段が適宜に採用されていてもよい。
【００１５】
また、パネル配線にともなうスイッチ開口部やコンセント開口部等が面材の適宜な箇所に設けられていてもよいことは言うまでもない。
パネル本体（３）上端部の板バネ（７）は、たとえば図１および図２に例示したように複数配置されることが考慮される。この複数の配置は、上端部材（８）を安定して保持するために望ましいからである。
【００１６】
この板バネ（７）は、たとえば図３に例示したものとすることができる。その一方の端部（７Ａ）はビス等によってパネル本体（３）の上端芯材に取付け固定し、他方の端部（７Ｂ）は、前記の上端部材（８）の裏面側にビス等によって取付固定される。板バネ（７）は、端部（７Ａ）（７Ｂ）との間の傾斜片部（７Ｃ）を有し、図中の矢印（α）で示したように上方にバネ弾性により付勢されるようにしている。
【００１７】
また、この図３の例においては、傾斜片部（７Ｃ）には穴（７Ｄ）が設けられている。この穴（７Ｄ）は、配線用の穴として機能させることができる。電源配線は、この穴（７Ｄ）を挿通させることで、パネル本体（３）の上端部において間仕切り壁の配線システムを構成すること、そして、パネル本体（３）内に配線を導くことを可能とする。
【００１８】
板バネ（７）の上方の端部（７Ｂ）には前記のとおり上端部材（８）が取付けられるが、この上端部材（８）は、木質系等の各種の素材からなるものでよいが、その形状は、たとえば図１に示したように比較的長尺の板状体ないしはブロック体であって、図２、あるいはこの図２の要部を拡大して例示した図４に示したように、その幅（Ｗ）は、この上端部材（８）が差し込まれて固定されるように、天井ランナー（１）に設けた溝（１１）内にほとんどガタつきなく納まるようにするのが望ましい。
【００１９】
上端部材（８）の幅（Ｗ）に応じて、板バネ（７）は、この幅（Ｗ）以内の幅であればよく、板バネ（７）の上方への付勢力（方向α）が上端部材（８）の天井ランナー（１）の溝（１１）内への挿入が充分な取付押圧力を与えるようにする。
板バネ（７）の上方への付勢力（方向α）により上端部材（８）を天井ランナー（１）の溝（１１）内に差し込んで押圧するため、図４に示したように、上端部材（８）の左右方向、つまり図中の方向βへの揺れが防止され、このことは、板バネ（７）を介して連結されているパネル本体（３）の同方向への揺れが防止されるという効果をもたらし、パネル本体（３）は、所要の垂直度を保つことができる。
【００２０】
このような効果は、従来のアジャスターボルト等の調節支持手段（４）やパッキン材（５）を用いてのパネル構造の場合には得られなかったものである。
そして、たとえば以上のような板バネ（７）および上端部材（８）を備えたこの発明の間仕切りパネルの場合には、以下にも説明するように、従来のように組立施工現場において調節支持手段（４）やパッキン材（５）を取付けるような面倒な作業が必要とされることはない。また、この発明の間仕切りパネルの場合には、あらかじめ工場等においてパネル本体（３）の上端部に板バネ（７）や上端部材（８）を取付けることができ、これらを取付けた状態で施工現場に搬入することができるため、部材の準備、搬入が容易となる。部材点数も削減されることになる。
【００２１】
そこで、次に、以上のようなこの発明の間仕切りパネルにより間仕切り壁を構成する場合の構造について説明する。
この発明の間仕切りパネルの取付構造においては、図２に例示したように、パネル本体（３）の下端部は床ランナー（２）に差し込まれているとともに、板バネ（７）を介してパネル本体（３）の上端部に配設一体化されている上端部材（８）は、図４にも示したように、板バネ（７）により上方（方向α）に付勢されて天井ランナー（１）の溝（１１）内に押し込まれて固定される。
【００２２】
この構造においては、図４のように、上端部材（８）は、その幅（Ｗ）が、天井ランナー（１）の溝（１１）幅とほぼ同等であって、左右へのガタつきが生じないようにすることでその左右（方向β）の揺れが防止されることになる。このため、パネル本体（３）の揺れも防止され、パネル本体（３）は、所要の垂直状態が保たれることになる。
【００２３】
パネル本体（３）の下端部は床ランナー（２）に取付けられることになるが、この場合、床ランナー（２）は、図２のように溝を持つものとし、この溝内にパネル本体（３）の下端部が差し込まれるようにすることができる。また、溝に代わるものとして、床ランナー（２）には、段差部が設けられており、この段差部にパネル本体（３）の下端部が係合取付けされるようにしてもよい。
【００２４】
以上のようなこの発明の構造は、たとえば、まず、パネル本体（３）を若干上方へ持ち上げるようにして板バネ（７）により付勢された上端部材（８）を天井ランナー（１）に押し付けるようにして、上端部材（８）を天井ランナー（１）の溝（１１）内に押し込み、次いで、パネル本体（３）の下端部を床ランナー（２）の所定の位置（溝等）に落し込むようにすることで、パネル本体（３）を天井ランナー（１）および床ランナー（２）に取付け固定したこの発明の構造が施工可能とされる。
【００２５】
上端部材（８）の天井ランナー（１）の溝（１１）内への押し込み施工時には、板バネ（７）の傾斜片部（７Ｃ）の方向を考慮して、たとえば図１および図３に示した方向（γ）に若干スライドするようにすることが円滑な作業の点で有効でもある。
この施工においては、場合によっては、パネル本体（３）を手に持っての一人の作業者による施工としても可能である。従来のアジャスターボルト等による調節支持手段（４）やパッキン材（５）を用いる施工に比べてはるかに簡便、かつ容易であって、しかも確実に、前記のとおりのパネル壁としての垂直度が確保されることになる。
【００２６】
もちろん、施工時には、前記と逆に床ランナー（２）へのパネル本体（３）の下端部の配置と、それに続く上端部材（８）の天井ランナー（１）への押し込みの施工手順とすることも可能である。ただ、通常は、先に上端部材（８）を天井ランナー（１）に押し込むことが好ましい。
以上のようにして天井ランナー（１）および床ランナー（２）に取付けたパネル本体（３）については、その下端部を床ランナー（２）にビスや釘により打止めしてもよい。また、天井ランナー（１）に対して上端部材（８）を同様に、たとえば斜め釘打ちによりさらに固定してもよい。これにより、より強固な固定が実現される。
【００２７】
複数枚の間仕切りパネルの建込みによって、たとえば図５のように、間仕切り壁を形成する場合にも、上記同様の施工法を採用することができる。そしてまた、隣接した間仕切りパネル間の連結（９）を強固なものとし、間仕切り壁としての強度を大きくし、遮音性や遮光性を高めるためには、雇実による連結構造を形成することが考慮される。
【００２８】
雇実連結構造の形成のためには、図６に示したように、パネル本体（３）の側端芯材（３１Ａ）に上下方向の溝（３３）を設けておき、この溝（３３）内に、図７のように雇実（６）を押し込み、隣接するパネル本体（３）が相互に雇実（６）を介してしっかりと連結されたものとすることができる。
この発明の間仕切りパネルの取付構造には、前記のとおりの、板バネ（７）の穴（７Ｄ）を配線のために利用した配設パネルをも適宜に用いることができる。この場合の配線パネルについてさらに説明すると、たとえば図８のように、パネル内に配線（Ｅ）を導くことができ、この配線（Ｅ）のためのガイドとなる紙管（１０）等の通路部が適宜に設けられてよい。また、横芯材、さらには中間部の縦芯材には、配線（Ｅ）のための通路部として、穴や切欠き等が設けられていてもよい。
【００２９】
また、この発明の間仕切りパネルの取付構造では、図４の例からも明らかなように、板バネ（７）をはじめ上端部材（８）の一部や配線（Ｅ）も外部に対して露出した状態となることがある。
このような場合には、露出部分を覆うように、たとえば図４の天井ランナー（１）とパネル本体（３）の面材（３２）の上端部との間（Ｌ）に、隙間部材を配設してもよい。さらにまた、図９に例示したように、コンクリート躯体と接する所には、調整空間として、現場合わせの貼面材を貼り付けるようにしてもよく、垂壁についても前記と同様の板バネを設定してもよい。
【００３０】
なお、図１０は、間仕切りパネルの配置例として、片面パネルおよび両面パネル、そして現場調整パネルにより構成した例を示している。室内の押入れや物入れ等の配置に応じての間仕切りパネルの設置が可能とされる。
もちろん、この出願の発明は以上の例示によって何ら限定されることはない。その細部の形態については様々に可能である。
【００３１】
【発明の効果】
以上詳しく説明したとおり、この出願の発明によって、簡便、かつ容易な施工で、確実に間仕切りパネルの取付固定が可能とされ、工場等における規格品としての生産も可能であって、部材の準備、現場への搬入も簡単になり、さらにはパネル配線をも容易とすることのできる、新しい間仕切りパネルとその取付構造が提供される。
【図面の簡単な説明】
【図１】この発明のパネルを例示した正面図＜Ａ＞と、その芯材骨格図＜Ｂ＞である。
【図２】図１＜Ａ＞のパネルの縦断面図である。
【図３】板バネについて例示した斜視図である。
【図４】上端部材（８）の天井ランナー（１）の取付けを例示した要部縦断面図である。
【図５】複数のパネルの設置状況を例示した正面図である。
【図６】パネルの水平断面図である。
【図７】雇実による隣接パネルの連結を例示した図である。
【図８】配線のある状態を例示した正面図である。
【図９】躯体対応パネルの設置例を示した正面図である。
【図１０】各種パネルの配置例を示した平面図である。
【図１１】＜Ａ＞＜Ｂ＞は、従来のパネル取付け方法を示した正面図である。
【符号の説明】
１  天井ランナー
１１  溝
２  床ランナー
３  パネル本体
３１  芯材
３１Ａ  側端芯材
３２  面材
３３  溝
４  調節支持手段
５  パッキン材
６  雇実
７  板バネ
７Ａ，７Ｂ  端部
７Ｃ  傾斜片部
７Ｄ  穴
８  上端部材
９  連結
１０  紙管
Ｅ  配線
【図１】
0003557956.tif 000002
【図２】
0003557956.tif 000003
【図３】
0003557956.tif 000004
【図４】
0003557956.tif 000005
【図５】
0003557956.tif 000006
【図６】
0003557956.tif 000007
【図７】
0003557956.tif 000008
【図８】
0003557956.tif 000009
【図９】
0003557956.tif 000010
【図１０】
0003557956.tif 000011
【図１１】
0003557956.tif 000012